(57)【特許請求の範囲】
【請求項１】
外側面を板状部材で囲み、且つその両端面に網目状格子窓を有し、両端面の格子窓間には該格子窓で仕切られ、格子状空気通路が形成された断熱性材質で構成された立体基材であって、上記外側面の板状部材及び上記格子窓の表面には中空ビーズを含む塗布層を形成するとともに、その一端面を空気注入口とし、他端面をエアコン室外機の空気取り入れ口に接合するようにしたことを特徴とするエアコン室外機の空気取り入れ口カバー。
【請求項２】
立体基材がゴム、プラスチック、不織布、強化紙、紙材、木材、ガラス繊維及びそれらの複合材から選択された断熱性材質で構成される請求項１記載のカバー。
【請求項３】
エアコン室外機の空気取り入れ口に接合される立体基材の天井面にあたる板状部材を延長して室外機の上面部を覆うようにすると共に、その表面には前記塗布層を設ける請求項１記載のカバー。
【発明の詳細な説明】
【技術分野】
【０００１】
本発明は、エアコン室外機の熱効率を改善し、冷暖房効率を高め、省エネを実現するエアコン室外機の空気取り入れ口カバーに関する。
【背景技術】
【０００２】
世界的にエネルギー事情が逼迫する中で、節電はあらゆる産業分野及び家庭分野において、もっとも重要な近々の課題である。
【０００３】
夏季の冷房、冬季の暖房に使われている電力の消費が年々倍増している深刻なエネルギー事情は、節電技術の向上を求めている。
【０００４】
エアコンの冷暖房効率を高めるためには、エアコン本体のより一層の技術革新が必須条件であることが明らかであるが、一方夏季の冷房時に室外機内の温度を下げることで冷房効率を高め、エネルギー消費を低減することが可能となり、また冬季の暖房時に室外機内の温度を高めに維持することで暖房効率を向上させることができる。
【０００５】
更に、エアコンの室外機フィンや外カバーの直射日光による温度上昇を遮熱材により抑え、日光により加熱された高い温度の空気、水蒸気の温度を下げて室外機へ送入することにより節電につなげることができる等の先行技術がある。
【先行技術文献】
【特許文献】
【０００６】
【特許文献１】特開２０１４−２２４６２１
【特許文献２】特開２００５−２２６９８３
【特許文献３】登録実用新案登録第３０５８３３２号
【発明の概要】
【発明が解決しようとする課題】
【０００７】
従来技術によるエアコン室外機の温度上昇を抑制する方法としては、エアコン室外機の周辺を遮熱・断熱塗料を塗布し、且つまたエアコン室外機に直接遮熱・断熱塗料を塗布することにより、直射日光による熱光線を遮断することによって室外機内の温度上昇を抑えて熱効率を高める方法が提案されているが、この方法では空気の熱及び暖めた蒸気の対策がなされていないため、エアコンの熱効率向上には限界がある。
【０００８】
その他、特許文献１は、低密度ポリエチレンネットに特殊なセラミックを加工塗布した網をエアコンに取り付けることにより、セラミックが発する赤外線の効果により空気中の水分子を微細化することにより、熱効率を上げ、省エネルギー効果をもたらしているが、この方法には太陽光の直射日光によるエアコン機の温度上昇及び日光により高温化した空気の熱低減においてはなにも考慮されていない。
【０００９】
特許文献２には、直射日光による熱を遮断するために断熱マットを斜めに立てかける方法が開示され、特許文献３には室外機のカバーに断熱塗料を塗布する方法が開示されている。
【００１０】
特許文献２に開示された技術では、室外機への空気の吸入、排気の通気が悪化する可能性があり、また高温になった空気の熱をそのまま取り入れてしまうため、熱効率向上には若干問題がある。
【００１１】
更に、特許文献３に開示された技術では、高温化した水蒸気及び空気の熱低減などの課題が解決されていない。
【００１２】
そこで、本発明の目的は、エアコンの室外機に簡単に設置され、夏季、冬季を問わずヒートポンプを用いたエアコンの冷暖房効率を高め、省エネを図ることにある。
【課題を解決するための手段】
【００１３】
そこで、本発明は両端面に網目状格子窓を有し、両端面の格子窓間には空気通路が形成された断熱性材質で構成された立体基材であって、該立体基材の表面には中空ビーズを含む塗料の塗布層を形成するとともに、その一端面を空気注入口とし、他端面をエアコン室外機の空気取り入れ口に接合するようにしたことを特徴とするエアコン室外機の空気取り入れ口カバーを提案するものである。
【００１４】
中空ビーズを含む塗布層は、中空ビーズに太陽光の高反射、熱の高反射効果があり、そのため優れた断熱・遮熱機能を持つことが知られているが（特開2010−248852、特開平11−90328）、本発明では立体基材の表面には中空ビーズを含む塗料を塗布されているため、夏季においては直射日光による立方体基材の加熱を効果的に低減させ、且つ日光により加熱された空気、高温湿気等の熱は吸収放出されるため、立体基材内に形成される空気通路の温度上昇を効果的に低減できる。
【００１５】
また、高温空気、高温湿気は立体基材の一端面に形成された網目状の微細な格子窓より空気通路内に送入させることにより、その接触面積が大きくなり、且つ空気通路を通過する間に、熱エネルギーは塗布層中の中空ビーズで乱反射され熱エネルギーは減衰されて放冷された状態でエアコン室外機の空気取り入れ口に送り込まれる。
【００１６】
即ち、本発明では夏季において、直射日光による立体基材内の加熱を効果的に低減され、且つ立体基材内に吸入された加熱された空気、高温湿気等の熱を立体基材表面で吸収放出させて室外機内に送り込まれるので、エアコン室外機内の温度を低くでき、このためコンプレッサでの冷媒圧縮効果を高めることができ、消費電力の軽減を図ることができる。
【００１７】
一方、冬季のエアコンの暖房時には、外気の冷気により室外機に送り込まれる空気温度の低下がエアコンの暖房効率を低下させることになるが、本発明では両端面に網目状格子窓を有し、両端面の格子窓間には空気通路が形成された立体基材を通して空気を室外機に送り込み、且つ立体基材表面に中空ビーズを含む塗布層が形成され、その外断熱効果により立体基材内の空気温度乃至室外機に送り込まれる空気温度の低下を低減できる。
【００１８】
本発明においては、冬季のエアコンの暖房時にエアコン室外機内の温度低下が低減できるので外気空気の加温が効率的に行われ、その結果コンプレッサによる冷媒の圧縮を下げることができ、消費電力を節減することができる。
【００１９】
即ち、本発明においては両端面に網目状格子窓を有し、両端面の格子窓間には空気通路が形成された断熱性材質で構成された立体基材を使用することにより、これを使用しない場合に比べて実際の動作実験によれば５〜８％の冷暖房効果の向上を実現でき、エアコンの冷暖房効率を５％〜２０％、少なくとも１０％〜１５％高められる。
【００２０】
立方基材の材質としては、断熱性に優れ、軽量で、成形が容易なゴム、プラスチック、不織布、強化紙、紙材、木材、ガラス繊維及びそれらの複合材などが使用される。
【００２１】
本発明における立方基材において格子窓の面積は0.5mm2〜10mm2であり、その形状、大きさには制限がないが、空気通路の長さは1mm〜5mmが効果的である。
【発明の効果】
【００２２】
このように本発明によれば、冷房時及び暖房時にかかわらず、エアコンの冷暖房効率を高めることができ、消費電力を節減できる。
【図面の簡単な説明】
【００２３】
【図１】本発明に係るカバーをエアコン室外機の空気取り入れ口に接合する状態を示す斜視図
【図２】本発明に係るカバーを構成する立体基材の正面図
【図３】同上の斜視図
【発明を実施するための形態】
【００２４】
断熱性材質で構成された網目状格子構造の立体基材であって、該立体基材に中空ビーズを含む塗料を塗布するとともに、その一端の網目構造面より空気を注入し、他端の網目構造面面をエアコン室外機の空気取り入れ口に接合するようにしたことを特徴とするエアコン室外機の空気取り入れ口カバー。
【実施例１】
【００２５】
以下、本発明を図示の実施例に基づいて説明すると、１は本発明に係るエアコン室外機の空気取り入れ口カバーを構成する立方基材で、立方基材１は、外側面を板状部材２で囲われ、且つその両端面には網目状格子窓３を有し、両端面の格子窓３間には空気通路４が形成される。
【００２６】
外側面を囲む板状部材２及び窓３の格子の表面には優れた断熱・遮熱機能を持つ中空ビーズをブレンドした塗料を塗布した塗布層５を設ける。
【００２７】
６はエアコン室外機であって、室外機６の前面には空気取り入れ口７が設けられている。
【００２８】
立体基材１は、その一端面８を外気吸入面とするとともに、その他端面８を空気取り入れ口７に接合するようにして室外機６に設置される。
【００２９】
なお、室外機の種類により空気取り入れ口７の構造が異なる場合には、立方基材１の端面８を任意に変えることができる。
【００３０】
また、この実施例では天井面にあたる板状部材２を延長して室外機６の上面部を覆うようにすると共に、板状部材２の表面には塗料の塗布層５を設ける。
【００３１】
立体基材１は、断熱性に優れ、軽量で、成形が容易なゴム、プラスチック、不織布、強化紙、紙材、木材、ガラス繊維及びこれらの複合材などが使用される。
【００３２】
以上の構成において、塗布層５に含まれる中空ビーズの太陽光の反射効果及び断熱効果により夏季においては直射日光による立方体基材１及び室外機６の加熱を効果的に低減される。
【００３３】
また、高温空気は一端面７より格子窓２を通って立体基材１内の空気通路４に送り込まれるが、この際空気及び空気中の蒸気は微細化され、その接触面積を増大させるとともに、この熱射線は塗料中に含まれる中空ビーズにより吸収輻射減衰されるので、立体基材１の他端面８からは低温化した空気が空気取り入れ口７に送り込まれる。
【００３４】
更に、断熱性材質で構成される立体基材１と室外機６の上面部を覆う板状部材２の表面に形成された塗布層５の中空ビーズの外断熱効果により立体基材１、室外機６の内部が直射日光等により温度上昇が低減される。
【００３５】
一方、冬季においては、断熱性材質で構成される立体基材１と室外機６の上面部を覆う板状部材２の表面に形成された塗布層５の中空ビーズの外断熱効果により立体基材１、室外機６の内部が外部の冷気により温度低下されることはない。
【００３６】
したがって、本発明によれば夏季、冬季何れにおいても冷暖房効率が低下することなく、消費電力の軽減することができる。
【産業上の利用可能性】
【００３７】
このように本発明によれば、冷房時及び暖房時にかかわらず、消費電力を節減でき、エアコンの冷暖房効率を高めることができるエアコン室外機の空気取り入れ口カバーを提供する。
【符号の説明】
【００３８】
１    立体基材
２  外側面を囲む板状部材
３  格子窓
４  空気通路
５    中空ビーズを含む塗料の塗布層
６    エアコン室外機
７    室外機の空気取り入れ口
８    立体基材の一端面と他端面
【要約】
【課題】  既設のエアコン室外機に簡単に設置でき、夏季及び冬季を問わずエアコンの冷暖房効率を高め、消費電力の軽減を図る。
【解決手段】外側面を板状部材で囲み、且つその両端面に網目状格子窓を有し、両端面の格子窓間には空気通路が形成された断熱性材質で構成された立体基材１であって、立体基材１に中空ビーズを含む塗料を塗布するとともに、その一端の網目構造面より空気を注入し、他端の網目構造面をエアコン室外機の空気取り入れ口に接合するようにしたことを特徴とするエアコン室外機の空気取り入れ口カバー
【選択図】図１【図１】
0006038245.tif 000002
【図２】
0006038245.tif 000003
【図３】
0006038245.tif 000004